(57)【特許請求の範囲】
【請求項１】
枠体のフレーム材間に複数本のロールを架設し、かつ、ロールの間隔を梅実が落下しない寸法に設定して梅実の天日干し用セイロを形成し、このセイロのロールを同時に同方向に回転させる回転手段を設けたことを特徴とする梅実の天日干し用のセイロを用いた天日干し装置。
【請求項２】
セイロの各ロールにベルトを接触させ、ベルトを動かしてロールとベルトとの摩擦力によってロールを回転させるように構成したことを特徴とする請求項１に記載の梅実の天日干し用のセイロを用いた天日干し装置。
【請求項３】
セイロの各ロールのロール軸に取付けられる歯車を有する歯車機構部によってロールを回転させるように構成したことを特徴とする請求項１に記載の梅実の天日干し用のセイロを用いた天日干し装置。
【請求項４】
梅実の天日干し用セイロと、このセイロを搬送する搬送ベルト装置と、セイロの出入り口を有する梅実収納庫とを備え、梅実の天日干し用セイロは、枠体のフレーム材間に複数本のロールを架設すると共に、ロールの間隔を梅実が落下しない寸法に設定し、かつ、これらのロールの下部を枠体よりも下方に突出して搬送ベルト装置に載置状態では各ロールがベルトに接触するように構成され、搬送ベルト装置は、ベルトの一端側を屋外に位置させると共に、ベルトの他端側を梅実収納庫の出入り口から梅実収納庫内に進入するように配設し、ベルトの一端側には、セイロのストッパーを設け、このストッパーでセイロが停止した状態でベルトを動かすことよりロールとベルトとの摩擦力によってロールが同時に同方向に回転するように構成されていることを特徴とする梅実の天日干し用のセイロを用いた天日干し装置。
【発明の詳細な説明】
【０００１】
【産業上の利用分野】
本発明は、梅実の天日干し用のセイロを用いた天日干し装置の改良に関するものである。
【０００２】
【従来の技術】
梅実を天日干し用のセイロａは、図１０に示すように、枠体ｂの底部にすのこｃを取付けて構成され、梅実Ｂをセイロａのすのこｃに直に載せるようにしていた。一方、天日干しの梅実Ｂは所定時間毎にひっくり返さなければならず、しかも、万遍なく梅実Ｂを返す必要がある。
【０００３】
しかし、従来のセイロａには、梅実Ｂを返すための考慮がされていなかったので、図１１及び図１２に示すように、梅実Ｂの入ったセイロａの上に空のセイロａ１を重ねた状態でセイロａ，ａ１をひっくり返すようしていた。しかし、このような梅実Ｂの返し作業は、力の弱い婦人や子供や老人にとって負担が大きく、また、梅実Ｂに加わる衝撃が大きいので、梅実Ｂが傷んだり変形したりして商品価値が下がるという問題があった。
【０００４】
また、梅実収納庫からのセイロの出し入れは運搬車を用いていたが、運搬車への積み卸しの際に梅実が傷むという問題があり、婦人等にとって積み卸し作業は大きな負担となっていた。
【０００５】
【発明が解決しようとする課題】
本発明は上記の点に鑑みてなされたものであって、その目的とするところは、梅実を他のセイロに移し変えることなくひっくり返すことができ、また、梅実収納庫からのセイロの出し入れも容易な梅実の天日干し用のセイロを用いた天日干し装置を提供することにある。
【０００６】
【課題を解決するための手段】
上記課題を解決するために、請求項１の梅実の天日干し用のセイロを用いた天日干し装置は、枠体のフレーム材間に複数本のロールを架設し、かつ、ロールの間隔を梅実が落下しない寸法に設定して梅実の天日干し用セイロを形成し、このセイロのロールを同時に同方向に回転させる回転手段を設けたことを特徴とするものである。
【０００７】
請求項２の梅実の天日干し用のセイロを用いた天日干し装置は、セイロの各ロールにベルトを接触させ、ベルトを動かしてロールとベルトとの摩擦力によってロールを回転させるように構成したことを特徴とするものである。
【０００８】
請求項３の梅実の天日干し用のセイロを用いた天日干し装置は、セイロの各ロールのロール軸に取付けられる歯車を有する歯車機構部によってロールを回転させるように構成したことを特徴とするものである。
【０００９】
請求項４の梅実の天日干し用のセイロを用いた天日干し装置は、梅実の天日干し用セイロと、このセイロを搬送する搬送ベルト装置と、セイロの出入り口を有する梅実収納庫とを備え、梅実の天日干し用セイロは、枠体のフレーム材間に複数本のロールを架設すると共に、ロールの間隔を梅実が落下しない寸法に設定し、かつ、これらのロールの下部を枠体よりも下方に突出して搬送ベルト装置に載置状態では各ロールがベルトに接触するように構成され、搬送ベルト装置は、ベルトの一端側を屋外に位置させると共に、ベルトの他端側を梅実収納庫の出入り口から梅実収納庫内に進入するように配設し、ベルトの一端側には、セイロのストッパーを設け、このストッパーでセイロが停止した状態でベルトを動かすことよりロールとベルトとの摩擦力によってロールが同時に同方向に回転するように構成されていることを特徴とするものである。
【００１０】 
【００１１】
【発明の実施の形態】
梅実の天日干し装置Ａは、図３に示すように、梅実の天日干し用のセイロ１と、このセイロ１を搬送する搬送ベルト装置２と、セイロ１の出入り口３を有する梅実収納庫４とを備えている。
【００１２】
図２はセイロ１の斜視図を示しており、セイロ１は枠体１１の底部に複数本のロール１４を設けて構成されている。枠体１１の一対の縦フレーム材１２には軸孔１３が形成され、縦フレーム材１２間には複数本のロール１４が架設されると共にロール１４の両端のロール軸１５は縦フレーム材１２の軸孔１３に回転自在に取付けられている。
【００１３】
ロール１４間の隙間は、梅実Ｂがロール１４の間から落下しないように梅実Ｂの径寸法よりも狭くなるように設定され、ロール１４の径は、縦方向に並ぶ梅実Ｂ同士が接触しない大きさに設定されている（図６）。例えば、中粒の梅実Ｂの場合には、ロール１４のピッチを２５mmとし、ロール１４の径を１４mmに設定する。
【００１４】
また、枠体１１の横フレーム材１６は縦フレーム材１２の下縁よりも上方に位置させることにより、ロール１４の下部を横フレーム材１６よりも下方に突出させている。したがって、セイロ１を搬送ベルト装置２のベルト２７の上に載せた状態では、各ロール１４がベルトに接触する（図６）。なお、セイロ１の材質としては、木材やプラスチック等が考えられる。
【００１５】
搬送ベルト装置２は、以下のように構成される。すなわち、図１に示すように、長尺の基台フレーム２１の両端に回転軸２２，２３を架設し、各回転軸２２，２３は軸受け２４にて支持する。一方の回転軸２３は、減速装置２８を介してモーター２９に連結されており、モーター２９の駆動回路は正転スイッチ及び逆転スイッチに接続されている。
【００１６】
各回転軸２２，２３には一対のベルト車（Ｖベルト車）２５，２６が固定されており、ベルト車２５，２６間にはベルト（Ｖベルト）２７が掛け渡されている。
【００１７】
このように構成される搬送ベルト装置２は、図３に示すように、ベルト２７の一端側が屋外に位置すると共に、ベルト２７の他端側が梅実収納庫４の出入り口３から梅実収納庫４内に進入したところに位置するように配設される。また、搬送ベルト装置２の両端には、セイロ１のストッパー５，５ａがそれぞれ設けられている。なお、２６ａは中間ベルト車である。
【００１８】
図３は、晴天時に、セイロ１を搬送ベルト装置２によって屋外に出した状態を示している。この図ではベルト２７上に３個のセイロ１を連ねて載せている。一方、夜間や降雨時には、逆転スイッチによってベルト２７を逆転させることにより、セイロ１を梅実収納庫４に向けて移動させて出入り口３から収納庫４内に入れ、先行するセイロ１がベルト２７の端部に位置した時にストッパー５ａに当ててセイロ１を梅実収納庫４内で停止させる（図４、図５）。
【００１９】
なお、晴天時には、正転スイッチによってベルト２７を正転させることにより、セイロ１を屋外に出し、先行するセイロ１がベルト２７の端部に位置した時にストッパー５に当てて屋外で停止させる（図３）。
【００２０】
図６は、屋外に出されたセイロ１内の梅実Ｂをひっくり返す動作を示しており、このときセイロ１はストッパー５に当たって移動しないので、ベルト２７を正転させると、搬送ベルト装置２のベルト２７とセイロ１のロール１４との摩擦力によって各ロール１４が同期して同方向に回転して、梅実Ｂを同方向に一気にひっくり返すことができる（矢印で示す）。
【００２１】
梅実Ｂのひっくり返し動作は、モーター２９の駆動回路に接続されるタイマーで行っても良く、また、搬送ベルト装置２の回転軸に手動ハンドルを取付けて手動で行っても良い。なお、搬送ベルト装置２（特に、ベルト２７とストッパー５）は、セイロ１のロール１４を同時に同方向に回転させる回転手段も兼ねるものである。
【００２２】
図７は、天日干し装置Ａの他の実施の形態を示している。天日干し装置Ａは、セイロ１と回転手段６とから成る。
【００２３】
セイロ１は上述のように枠体１１とロール１４とで構成され、更に、各ロール１４のロール軸１５は枠体１１の縦フレーム１２から外方に突出しており、このロール軸１５には被動歯車１７が取付けられている。なお、セイロ１の枠体１１の底部で、かつ、ロール１４の下方にはスノコ（又は格子体）１９が配設されている。
【００２４】
回転手段６は、図８に示すように、セイロ載置台６１の側壁に、セイロ１の被動歯車１７の間隔に対応した間隔で複数の伝動歯車６２が配設され、一端に位置する伝動歯車６２には駆動歯車６３がかみ合っている。６４は駆動歯車６３のモーターが収まった駆動ボックスである。したがって、セイロ１をセイロ載置台６１に載せると、図９に示すように、セイロ１の被動歯車１７が回転手段６の伝動歯車６２にかみ合い、この状態で駆動歯車６３を回転させると、伝動歯車６２を介してセイロ１の被動歯車１７が回転してセイロ１のロール１４が同方向に同時に回転し、梅実Ｂを一度にひっくり返すことができる。
【００２５】
【発明の効果】
以上の説明からも明らかなように、請求項１〜請求項３のセイロを用いた天日干し装置によれば、セイロのロールを同方向に回転させる回転手段を設けたので、上記効果に加え、ロールの回転に対応して梅実をスムーズに返すことができ、しかも、ロールを同時に回転させることができ、セイロ内の梅実を万遍なくひっくり返すことができる。
【００２６】 
【００２７】
請求項４のセイロを用いた天日干し装置によれば、梅実収納庫からの梅実入りセイの出し入れを搬送ベルト装置で行うことができるので、運搬車で運搬する手間が省けて労力が軽減し、また、セイロの運搬車への積み卸しを省くことができるので、梅実が傷むことがない。しかも、ストッパーでセイロが停止した状態でベルトを動かすことより、ロールを回転させることができるので、セイロを搬送ベルト装置に載せたまま梅実をひっくり返すことができ、梅実を返すためにセイロを搬送ベルト装置から積み卸しする作業が不要となって労力を軽減でき、梅実が傷むことがない。
【図面の簡単な説明】
【図１】本発明にかかるセイロを用いた天日干し装置の搬送ベルト装置の斜視図
【図２】本発明にかかるセイロの斜視図
【図３】本発明にかかるセイロを用いた天日干し装置の概略図
【図４】同装置の動作を示す概略図
【図５】同装置の動作を示す概略図
【図６】同装置による梅実の返し動作を説明する断面図
【図７】本発明にかかるセイロの他の実施形態を示す部分斜視図
【図８】本発明にかかるセイロを用いた天日干し装置の他の実施形態を示す斜視図
【図９】同実施形態の動作を示す正面図
【図１０】従来のセイロの斜視図
【図１１】同セイロによる梅実の返し動作を示す断面図
【図１２】同セイロによる梅実の返し動作を示す断面図
【符号の説明】
Ａ     梅実の天日干し装置
Ｂ     梅実
１     セイロ
１１   枠体
１４   ロール
２     搬送ベルト装置
２７   ベルト
３     梅実収納庫の出入り口
４     梅実収納庫
【図１】
0003840295.tif 000002
【図２】
0003840295.tif 000003
【図３】
0003840295.tif 000004
【図４】
0003840295.tif 000005
【図５】
0003840295.tif 000006
【図６】
0003840295.tif 000007
【図７】
0003840295.tif 000008
【図８】
0003840295.tif 000009
【図９】
0003840295.tif 000010
【図１０】
0003840295.tif 000011
【図１１】
0003840295.tif 000012
【図１２】
0003840295.tif 000013